(57)【要約】      （修正有）【課題】ジッパーバックを完全に密閉することができ、密閉されたジッパーバックを容易に移動及び保管することができる包装用ジッパーバックの密閉装置を提供する。【解決手段】ジッパーバックに液体、固体、気体を含む多様な物を入れて開口部を完全に密閉することにより、保管状態に関係なく内容物が漏出しないように密閉する密閉装置に関し、ジッパーバック１が引き込まれて密閉されるように下端部に切開溝３０が形成された軸棒１０と、前記軸棒の一端にジッパー部分が折り畳まれて引き込まれるように、曲線状に形成された引き込み部２０と、前記軸棒の上端部に形成された取っ手部４０と、前記軸棒と一体に形成されてジッパーバックのジッパー２を堅く結合するジッパークリップ６０と、前記軸棒の両側面に形成されて前記引き込み部にジッパーバックを引き込むときに滑り止めとなる複数の突起７０とから構成される。【選択図】図５
2008056353.tif 000002
【特許請求の範囲】
【請求項１】
ジッパーバックを密閉する装置において、
前記ジッパーバックが引き込まれて密閉されるように下部に切開溝が形成された軸棒と、
前記軸棒の一端にジッパー部分が折り畳まれて引き込まれるように、曲線状に形成された引き込み部と、
前記軸棒の上部に形成された取っ手部と、
前記取っ手部と前記軸棒とを結合する取っ手固定部と、
前記軸棒と一体に形成されて前記ジッパーバックのジッパーを堅く結合するジッパークリップと、
前記軸棒の両側面に形成されて前記引き込み部に前記ジッパーバックを引き込むときに滑り止めとなる複数の突起とを備えることを特徴とするジッパーバック密閉装置。
【請求項２】
パックを密閉する密閉装置において、
前記パックは、両端が接着された接着部と、前記接着部に形成された２つの孔とを備え、
前記孔に差し込まれる軟質物体と、
前記軟質物体を中心に折り畳まれた前記パックが引き込まれて密閉されるように下部に切開溝が形成された軸棒と、
前記軸棒の一端に曲線状に形成された引き込み部と、
前記軸棒の両側面に形成されて前記引き込み部に前記パックを引き込むときに滑り止めとなる複数の突起とを備えることを特徴とするパック密閉装置。
【請求項３】
ジッパーバックを密閉する装置において、
前記ジッパーバックが引き込まれて密閉されるように下部に切開溝が形成された軸棒と、
前記軸棒の一端に取っ手用ひも又はチューブを中心に折り畳まれた前記ジッパーバックが引き込まれるように、曲線状に形成された引き込み部と、
前記ジッパーバックのジッパーを堅く結合するジッパークリップと、
前記軸棒の両側面に形成されて前記引き込み部に前記ジッパーバックを引き込むときに滑り止めとなる複数の突起と、
前記軸棒の内部を貫通する取っ手用ひも又はチューブと、
を備えることを特徴とするジッパーバック密閉装置。
【請求項４】
前記軸棒の両端部の上端には、前記ジッパーバックを密閉して移動するときに前記取っ手用ひも又は前記チューブが移動しないように挟み込み溝が形成されていることを特徴とする請求項３に記載のジッパーバック密閉装置。
【請求項５】
前記軸棒の上端に、前記軸棒と一体に形成される７字状の取っ手固定部をさらに備える請求項３又は４に記載のジッパーバック密閉装置。
【請求項６】
前記ジッパークリップは、前記切開溝の軸方向に沿って延びる開口部に雌雄の結合部を備え、ジッパーバックが前記切開溝に挿入された状態で、前記雌雄の結合部を相互に結合させて前記開口部を閉塞することによりジッパーを封止する請求項３から５のいずれかに記載のジッパーバック密閉装置。
【請求項７】
前記ジッパークリップは、ジッパーバックが前記切開溝に挿入された状態で、前記軸棒を挟持することにより前記切開溝の開口部を閉塞してジッパーを封止する挟持部材を備える請求項３から６のいずれかに記載のジッパーバック密閉装置。
【請求項８】
前記軸棒の前記引き込み部の反対側に形成された収容孔をさらに備えることを特徴とする請求項１から７のいずれかに記載のパック密閉装置。
【発明の詳細な説明】
【技術分野】
【０００１】
本発明は包装用ジッパーバックの密閉装置に関する。より詳細には、ジッパーバックに液体、固体、気体を含む多様な物質を入れた後、開口部を完全に密閉することにより、保管状態にかかわらず内容物が外部に漏出しないように密閉する密閉装置に関する。
【背景技術】
【０００２】
包装用密閉容器ジッパーバック１は、図１のように、日常生活で多用途に便利に使用される生活用品である。特に台所で各種の食べ物を保管又は処理するとき、商店で食品を包装するとき、食堂で客に食べ物を入れて持たせるとき、外出、登山、釣り、キャンプなどで食べ物、飲み物、又は他の所持品を入れるときなどに多様な用途で利用される。
【０００３】
しかし、包装用密閉容器ジッパーバックの使用において、ジッパー２を閉めるために一々手でジッパーを押さえて締結しなければならないため、非常に不便で時間が長くかかるという欠点がある。
【０００４】
このような問題を解決するために、図２aのようにスライド型ジッパークリップをジッパー部分に装着して簡単にジッパーバックを閉状態にする製品が生産されたが、前記製品は図２bのようにスライド型ジッパークリップによってジッパーを結合する場合、図２cのようにスライド型ジッパークリップの端部に隙間が生じ、ジッパーバックが横に保管されたときに内容物が漏出したり、ジッパーの結合強度が弱いので内容物が多いときにジッパーが開くという欠点がある。
【０００５】
また、スライド型ジッパークリップと同一の目的でコの字状のジッパークリップが独立して生産されたが、ジッパークリップの形態が小さいので紛失の恐れが大きく、ジッパーの密閉力だけでジッパーが維持されなければならないため、ジッパーバックの保管又は移動中にジッパーバック締結部分が曲がったり、つぶれると締結されたジッパーが開いて内容物がこぼれたり、液状物が漏れるという欠点があった。
【０００６】
前記密閉力の問題を解決するため、図３に示すように、パックの密閉装置と共に密閉装置の内部にプラスチック軸を固定する方法が提案された（特許文献１参照）。前記方法は、ジッパーバックではない一般のパックを使用し、密閉装置内にプラスチック軸を接合固定して前記軸を覆うようにパックを折り畳み、その外面に密閉装置の切開溝を挟んでパックが密閉されるように構成するものである。前記方法は、密閉装置がパックの開口部に位置するので密閉強度が高く、パックのどの部分にも密閉装置を利用することができるという利点があったが、プラスチック軸が密閉装置に固定されており、パックを密閉装置に挟むときに一般のパックを使用するので、軸と密閉装置との間にパックを入れにくいだけでなく、密閉ラインが意図する通りに一定に形成されなかった。また、薄いパックや重量の大きいパックに用いた際には、この密閉装置の係止効果が充分に発揮できないことがあった。
【０００７】
また、ジッパーバックの開口部の内部に雌雄１対のジッパーを結合した後、結合されたジッパー部分を折り畳み、その外面に密閉装置の切開溝を挟んでジッパーバックが密閉される方法が提案されたが、前記方法は、手でジッパーを閉めるので完全にジッパーが閉まっていない状態で密閉装置に挟むことがあり、ジッパーバックを横に保管するとジッパーバックの内容物が漏れるという問題があった。前記のような密閉装置を利用してジッパーバックを密閉する場合は、ジッパーの両端部が完全に結合されていないと内容物が漏れ、前記方法のように手でジッパーを結合する場合は、完璧にジッパーの両端部を閉めることができないことが多かった。また、ジッパーバックを携帯して移動する場合、取っ手がないので二重に包装するか、取っ手なしで使用せざるを得ないため不便であった。
【特許文献１】特表２００６−５０６２９３
【発明の開示】
【発明が解決しようとする課題】
【０００８】
本発明は、前記問題を解決するためになされたものであり、ジッパーバックの内容物が漏れないように完全に密閉し、かつ携帯が簡便で、移動に便利な密閉装置を提供することを目的とする。
【０００９】
また、本発明は、ジッパーバックを簡単に密閉することができ、密閉状態でジッパーバックを安全に移動することのできる密閉装置を提供することを目的とする。
【００１０】
さらに、本発明は、一般のパックに軟質の生活用品を利用して簡単に密閉状態にする密閉装置を提供することを目的とする。
【００１１】
さらに、本発明は、簡単かつ安全な密閉装置を提供することを目的とする。
【課題を解決するための手段】
【００１２】
前記目的を達成するために、本発明のジッパーバック密閉装置は、ジッパーバックが引き込まれて密閉されるように下部に切開溝が形成された軸棒と、前記軸棒の一端にジッパー部分が折り畳まれて引き込まれるように、曲線状に形成された引き込み部と、前記軸棒の上部に形成された取っ手部と、前記取っ手部と前記軸棒とを結合する取っ手固定部と、前記軸棒と一体に形成されて前記ジッパーバックのジッパーを堅く結合するジッパークリップと、前記軸棒の両側面に形成されて前記引き込み部に前記ジッパーバックを引き込むときに滑り止めとなる複数の突起とを備える。
【００１３】
前記取っ手部は、前記取っ手固定部と雌雄結合され、着脱可能としてもよい。
【００１４】
前記ジッパークリップの端部に突出部を形成すると、ジッパーがクリップから離脱することが防止され、好ましい。
【００１５】
また、本発明のパック密閉装置は、両端が接着された接着部の開口側に近い両端に孔を形成したパックと、前記孔に差し込挟まれる軟質物体と、前記軟質物体を中心に折り畳まれた前記パックが引き込まれて密閉されるように下部に切開溝が形成された軸棒と、前記軸棒の一端に曲線状に形成された引き込み部と、前記軸棒の両端側面に形成されて前記引き込み部に前記パックを引き込むときに滑り止めとなる複数の突起とを備える。
【００１６】
前記軟質物体には、ひも、飲み物用のストロー、又はチューブなどの軟質の生活用品を使用することができる。
【００１７】
さらに、本発明のジッパーバック密閉装置は、ジッパーバックが引き込まれて密閉されるように下部に切開溝が形成された軸棒と、前記軸棒の一端に取っ手用ひも又はチューブを中心に折り畳まれた前記ジッパーバックが引き込まれるように、曲線状に形成された引き込み部と、前記ジッパーバックのジッパーを堅く結合するジッパークリップと、前記軸棒の両側面に形成されて前記引き込み部に前記ジッパーバックを引き込むときに滑り止めとなる複数の突起と、前記軸棒の内部を貫通する取っ手用ひも又はチューブとを備える。
【００１８】
本発明の密閉装置に用いられる軸棒には収容孔が形成されていてもよい。収容孔は、本発明の密閉装置を保管する際に釘等をかける部分として、また、ジッパーバックを携帯して移動する場合にひも等の取っ手を固定する部分として使用することができる。
【発明の効果】
【００１９】
前記のような構成により、本発明は通常のジッパーバックを完全に密閉することができ、密閉されたジッパーバックを簡単に移動及び保管することができる。
【００２０】
また、本発明はジッパークリップを使用して完全にジッパーを結合させるので、保管状態にかかわらずジッパーバックの内容物が外部に漏出せず、使用しないときに保管が容易である。
【００２１】
さらに、本発明は雄雌１対の構造で形成されるジッパーのついたジッパーバックであっても、一般のパックであっても、取っ手用ひも又はチューブを利用して簡単かつ完全に密閉することができる。
【００２２】
本発明の密閉装置はジッパーバック又はパックのジッパーが曲がったり潰れたりしないように防止し、ジッパー結合が開いても密閉状態をそのまま維持することができる。
【発明を実施するための最良の形態】
【００２３】
［実施例１］
以下、図面を参照して本発明を詳細に説明する。図４は本発明の一実施例による密閉装置を示す図である。（ａ）は密閉装置の正面図であり、（ｂ）は（ａ）に係る密閉装置の一部を断面で示す図である。（ｃ）は（ｂ）に係る密閉装置を左から見た左側面図である。図に示すように、密閉装置は図１の通常のジッパーバックの結合状態を堅固に維持する装置であり、密閉装置の中心となる軸棒１０と、前記軸棒の一端にジッパー部分が折り畳まれて引き込まれるように、曲線状に形成された引き込み部２０と、前記引き込み部に沿ってジッパーバックが挿入される切開溝３０と、密閉されたジッパーバックを特に包装しなくても簡単に移動させることができるように着脱可能な取っ手部４０と、前記取っ手部を軸棒と結合する取っ手固定部５０と、前記取っ手固定部の横に軸棒と一体に形成されるジッパークリップ６０と、ジッパーバックを引き込み部から切開溝に挿入するときに滑り止めとなるように取っ手部から軸棒の両端に向かって形成される複数の突起７０と、密閉装置を使用しないときに釘やネジにかけて保管できるように形成された収容孔８０とから構成される。
【００２４】
本発明は通常のジッパーバックを完全に密閉する装置である。以下、各構成要素について詳細に説明する。軸棒１０の大きさはジッパーバック１の大きさによって様々であり、引き込み部２０はジッパーバックのジッパー２部分が折り畳んで引き込まれる所である。ジッパーバックのジッパーは雌雄１対の構造で形成され、本発明は前記雌雄１対のジッパーを後述するジッパークリップ６０によって結合し、ジッパー部分を折り畳んで引き込み部２０に挟み、切開溝３０に沿ってジッパーバックが完全に挟まれるまで押し込むことにより使用することができる。引き込み部に挟まれるジッパーバックのジッパー部分が折り畳まれた状態では通常のジッパーより体積が大きいので、この部分が挿入されるように引き込み部２０は開始部分が大きく、曲線状でなければならない。前記切開溝３０は引き込み部の端部から軸棒１０の終了部分まで凹状に形成された溝である。前記切開溝の間隔はジッパーバックのジッパーの大きさより小さくなければならない。ジッパーバックのジッパーが雌雄結合された状態でジッパー部分を折り畳んで引き込み部に挿入するが、この時、折り畳んだジッパー部分はジッパーより少し下が中心になるようにするとジッパーバックの内容物が外に漏れない。ジッパーバックのジッパー部分は、通常軟質のプラスチックで形成されるので、ジッパーバックの他の部分より硬い。従って、切開溝に沿って挿入されるジッパーバック１は硬いジッパー２が切開溝から外れることがなく、リーディングラインの機能を果たし、所定の高さでジッパーバックが前記切開溝に引き込まれる。
【００２５】
ユーザはジッパーバックを引き込み部に挟み、切開溝に沿ってジッパーバックを端部まで押し込まなければならない。一般にジッパーバックは台所などで料理のときに使用されるので、手に水気がついている。従って、水気のついた手で軸棒１０に力を入れることができるように滑り止めが必要であり、前記複数の突起７０が滑り止めとなる。機能的には前記突起が取っ手固定部５０を中心に引き込み部の反対側に形成されるだけで十分であるが、左右の均衡と美的観点から取っ手固定部の内側から端部まで軸棒の両方に同様に形成する。
【００２６】
前記取っ手部４０は軸棒と結合されたジッパーバックを安全かつ便利に移動させることができる。取っ手固定部５０は、少なくとも１つの溝が形成されて端部が２つに分かれた取っ手部４０と雌雄結合された状態で連結される。前記取っ手部は取っ手固定部と着脱が可能であるため、前記密閉装置を利用して密閉されたジッパーバックを冷蔵庫やアイスボックスなどに入れて保管する場合には前記取っ手部なしで保管することができ、便利である。
【００２７】
前記ジッパークリップ６０は本発明において重要な役割を果たす。本発明によるジッパーバック密閉装置で密閉されたジッパーバックは、かばん、アイスボックス、又は冷蔵庫などの保管用品に入れて保管することが多い。このような場合にジッパーの端部が完全に結合されなければならない。手によるジッパーの結合は、目で感知できない部位において完全には結合されないことがあり、結合時間も長くかかる。特にジッパーの端部が密閉されないまま前記保管用品に入れると、内容物が漏れて保管用品の内部を汚すことになる。前記ジッパークリップの端部には突出部６５が備えられている。前記突出部は、ジッパークリップによってジッパーが結合されるときにジッパーがジッパークリップから外れないようにする。前記ジッパークリップ６０は端部に行くほど軸棒１０との間隔が狭くなるように形成される。前記ジッパークリップは前記取っ手部４０の横に軸棒と一体に形成され、前記突出部６５が軸棒の内側に来るように形成する。
【００２８】
前記収容孔８０は、密閉装置がジッパーバックを密閉しないときに釘やネジにかけて保管するように形成された孔である。
【００２９】
図５は前記構成要素を基にジッパーバックを密閉した状態を示す。ジッパーバックは前記のようにジッパーを中心に軸棒が位置するので多くの内容物を入れることができて運搬や保管が簡便であり、さらにジッパークリップで密閉するため完全な密閉が可能となり、いかなる形態で保管しても外部に内容物が漏れない。
【００３０】
［実施例２］
図６〜図８は本発明の他の実施例である。実施例２は、図６のように、雄雌１対の構造で形成されたジッパーを備えるジッパーバックではない一般的なパック３を対象とする。前記パックは通常のビニール袋より若干硬質であれば効果的である。図に示すように、パックの上部には２つの孔４がある。前記孔は、ユーザがパックを密閉しようとする形態によって様々な位置に形成することができる。
【００３１】
実施例２に使用される密閉装置は、実施例１の密閉装置の取っ手固定部、取っ手部、及びジッパークリップがない形態である。より詳細に説明すると、図８のように、軸棒の下端部には切開溝３０があり、切開溝の一端には曲線状の引き込み部２０がある。ユーザは図７のように前記パックの孔４に軟質物体６を入れ、前記軟質物体を中心にパックを折り畳んで前記引き込み部に挿入して切開溝に沿ってパック３を軸棒１０に押し込む。前記軟質物体はひも、チューブ、又は飲み物用のストローなど、生活で使用される柔らかい物体である。前記孔は通常の穿孔機又は錐などの鋭い物体を利用して簡単に形成することができる。
【００３２】
前記軸棒には滑り止めとなる複数の突起７０が形成されており、使用しないときに軸棒を保管するために引き込み部の反対側の端部に収容孔８０を形成する。
【００３３】
従来の密閉装置には切開溝に沿って引き込まれるパックのリードラインがなく、密閉されたパックの形態を所望の形態にすることは困難であった。本発明は、前記問題を改善するためにパックの孔に軟質物体を挿入するので、パックが切開溝に沿って挿入されるときにリードラインの機能を果たすことにより、密閉されたパックの形態を所望の形態に調節することができる。
【００３４】
本実施例に使用されるパックの両端部は内容物を入れることができないように接着されている。本発明において、前記接着された接着部５は２つの機能を有する。第１の機能は、パックの両端に孔を形成して軟質物体を挿入することによるリーディングラインの機能であり、第２の機能は、引き込み部にパックを入れるときにパックが柔らかいと挿入しにくいので、これを克服できるようにパックの端部を硬質に変える機能である。
【００３５】
従って、本発明において、パックの両端部で所定の幅で接着される接着部５は、本発明を実施するための重要な要素となる。また、実施例１のようなジッパークリップがなくても両端部を完全に密閉することができる。
【００３６】
［実施例３］
実施例１では、ジッパーバック１のジッパーは、雄雌１対の構造で形成され、雄雌結合する構成であったが、バックの開口部を閉塞可能であればその構成は特に限定されない。ジッパーバック１のジッパーとは、例えば、バックの開口部を閉塞するために、バックを折り畳んだときに形成される曲折部を含む概念である。
【００３７】
図９〜図１２は本発明のさらに他の実施例である。本実施例は実施例１の密閉装置の取っ手部の代りに取っ手用ひも又はチューブ９０を使用する。
【００３８】
図９は、本実施例に係るジッパーバック密閉装置の斜視図であり、図１０は、図９におけるＡ−Ａ断面図である。図９及び図１０に示すように、実施例３はジッパーバック１の結合状態を堅固に維持する装置であり、密閉装置の中心となる軸棒１０と、前記軸棒の一端にジッパーバック１が折り畳まれて引き込まれるように曲線状に形成された引き込み部２０と、前記引き込み部に沿ってジッパーバック１が挿入される切開溝３０と、密閉されたジッパーバックを特に包装しなくても簡単に移動させることができるように軸棒１０の内部空間を通過する取っ手用ひも又はチューブ９０と、ジッパーバック１のジッパーを結合させるジッパークリップ６１と、ジッパーバック１を引き込み部２０から切開溝３０に挿入させるときに滑り止めとなるように軸棒１０の両側面に形成される複数の突起７０と、密閉装置を使用しないときに釘やネジにかけて保管できるように形成された収容孔８０とから構成される。また、図１１に示すように、選択的に前記取っ手用ひも又はチューブ９０を固定する取っ手固定部５５を含む。また、選択的に、前記取っ手用ひも又はチューブ９０がジッパーバック１を密閉、移動するときにジッパーバック１の移動を抑制するように、軸棒１０の両側の上端に挟み込み溝１１が凹状に形成される。
【００３９】
取っ手用ひも又はチューブ９０は、例えば、塩化ビニル製の環状の線材からなり、軸棒１０の内部空間において軸方向に沿ってスライド可能なように軸棒１０内に挿入されている。
【００４０】
ジッパーバック１は、チューブ９０を中心に折り畳まれたときに形成される曲折部からなるジッパー１２を備えている。
【００４１】
ジッパークリップ６１は、切開溝３０の軸方向に沿って延びる開口部３１に雌雄の結合部６２、６３を備えている。雄結合部６２は、開口部３１から突出するように設けられており、雌結合部６３は、開口部３１を凹状に切り欠くことにより形成されている。ジッパークリップ６１は、雌雄の結合部６２、６３を相互に結合させて切開溝３０の開口部３１を閉塞することにより、ジッパー１２を封止するように構成されている。
【００４２】
以下、前記密閉装置の実施方法について説明する。通常のジッパーバックに内容物を入れて、内容物の大きさに応じてジッパーバックを前記取っ手用ひも又はチューブ９０を中心に折り畳み、引き込み部２０に挿入して切開溝３０に沿ってジッパーバックを端部まで押し込む。ジッパーバック１をチューブ９０を中心に折り畳むと、曲折部からなるジッパー１２が形成され、ジッパーバック１の開口部が閉塞される。また、ジッパーバック１を切開溝３０に引き込むと、ジッパー１２（曲折部）が切開溝３０に挿入される。ジッパーバック１を切開溝３０に挿入するときは、チューブ９０を軸棒１０に沿ってスライドさせることにより、ジッパーバック１をスライドさせて挿入する。
【００４３】
その後、ジッパーバック１が切開溝３０に挿入された状態で、図１０（ｂ）に示すように、雄結合部６２と雌結合部６３とを嵌合させ、雌雄の結合部６２、６３を相互に結合させることにより、切開溝３０の開口部３１を閉塞する。これにより、ジッパーバック１のジッパー１２が堅く結合され、封止される。
【００４４】
前記のようにジッパーバックを密閉する密閉装置は、実施例１の密閉装置とは異なり、軸棒の内部に取っ手用ひも又はチューブがあるので、軸棒の内部の空間が縮小され、さらに強力な密閉力を提供でき、ジッパーバックのジッパー部分はもちろん、ジッパー部分以外の任意の位置を密閉装置と結合することができるため、内容物が小さいときにも内容物の大きさに応じた密閉が可能である。また、密閉装置と結合した状態で移動しても、前記取っ手用ひも又はチューブ９０がジッパーバックの両端を固定するので、ジッパーバックが密閉装置から離脱しない。
【００４５】
また、雌雄の結合部６２、６３により、ジッパー１２をより緊密に封止することができ、ジッパーバック１の内容物が漏出するのをより確実に防ぐことができる。
【００４６】
また、ジッパーバック１をチューブ９０に巻き付けるように折り畳み、チューブ９０を軸棒１０に沿ってスライドさせるだけで、ジッパーバック１を切開溝３０に引き込むことができるので、挿入作業を容易に行うことができる。
【００４７】
また、滑り止めとなる突起７０を備えているので挿入作業を確実に行うことができる。
【００４８】
本実施例においては取っ手固定部５５を選択的に含む。前記取っ手固定部５５は７字状に形成され、図１１のように取っ手用ひも又はチューブ９０をかける。前記取っ手固定部５５は軸棒と一体に形成される。
【００４９】
また、本実施例は、雄雌１対の構造で形成されるジッパーが必須の実施要件ではないので、通常のジッパーバックだけでなく、一般的なパックにも使用可能である。
【００５０】
以上、本発明の技術的思想を例示するための好ましい実施例について図示、説明したが、本発明は前記のように図示、説明された構成及び作用に限定されるのではなく、特許請求の範囲で請求する発明の要旨から逸脱することなく本発明の多様な変更及び修正が可能であることを当業者であれば理解することができるであろう。従って、それらの変更は本発明の範囲に属するとみなされるべきである。
【００５１】
例えば、上記実施例３では、ジッパークリップ６１は、雌雄の結合部６２、６３を備える構成であったが、ジッパーバック１のジッパー１２を堅く結合して封止できるのであれば、その構成は特に限定されない。
【００５２】
図１３は、他の実施形態に係るジッパーバック密閉装置の斜視図であり、図１４は、図１３におけるＢ−Ｂ断面図である。図１３において、図９と同様の構成部分については、同一の符号を付して説明を省略する。また、図１４において、図１０と同様の構成部分については、同一の符号を付して説明を省略する。ジッパークリップ６１は、図１３及び図１４に示すように、軸棒１０を挟持する挟持部材６６を備える構成であってもよい。挟持部材６６としては、湾曲した板状のクリップ本体６７と、クリップ本体６７の側面に配置されたハンドル６８とを備え、ハンドル６８を把持してクリップ本体６７を開閉し、板バネの原理によりものを挟持する公知のバインダークリップを用いることができる。また、挟持部材６６は、ハンドル６８を覆うキャップ６９を備えており、ハンドル６８がキャップ６９で覆われた状態では、クリップ本体６７が開状態となり、ハンドル６８からキャップ６９が離脱した状態では、クリップ本体６７が閉状態となるように構成されている。挟持部材６６は、軸棒１０に一体で取り付けられていても、軸棒１０と別体であってもよい。
【００５３】
以上の構成を備えるジッパーバック密閉装置によれば、ジッパーバック１がチューブ９０を中心に折り畳まれ、ジッパーバック１のジッパー１２（曲折部）が切開溝３０に挿入された状態で、キャップ６９をバンドル６８から取り外すことにより、クリップ本体６７を閉状態とする。これにより、軸棒１０が挟持部材６６で挟持され、切開溝３０の開口部３１が閉状態となる。こうして、ジッパー１２が封止され、ジッパーバック１が密閉される。
【００５４】
このような構成によれば、軸棒１０を挟持部材６６で挟持するので、切開溝３０の開口部３１をより緊密に閉塞することができ、ジッパー１２をより堅く結合して封止することができる。
【００５５】
また、クリップ本体６７が開いた状態から、キャップ６９を取り外すだけで、軸棒１０を挟持してジッパー１２を封止できるので、密閉作業を容易に行うことができる。
【００５６】
また、本実施形態に係る挟持部材６６は、雌雄の結合部６２、６３を備えるジッパーバック密閉装置と組み合わせて使用することもできる。
【００５７】
また、チューブ９０の構成は本実施形態以外に種々の構成が可能であり、例えば、チューブ９０を冷蔵庫の壁面等に定着させる定着部材（図示せず）を備える構成であってもよい。定着部材は、例えば、冷蔵庫の壁面等に吸着可能な吸盤であり、チューブ９０に取り付けられている。このような構成によれば、定着部材を介してチューブ９０を冷蔵庫の壁面等に固定することにより、密閉装置に取り付けられたジッパーバック１を冷蔵庫内に吊り下げて保管することができる。これにより、ジッパーバック１の内容物を容易に視認することができ、内容物を効率良く管理することができる。また、ジッパーバック１を吊り下げるので、ジッパーバック１の開口部から内容物が漏出するのを確実に防ぐことができる。
【図面の簡単な説明】
【００５８】
【図１】通常のジッパーバックの形状図である。
【図２ａ】従来のスライド型ジッパークリップが結合されたジッパーバックを示す図である。
【図２ｂ】図２aのスライド型ジッパークリップがジッパーを結合する形状を示す図である。
【図２ｃ】図２bのスライド型ジッパークリップでジッパーが結合された形状を示す図である。
【図３】従来のバック密閉装置を示す図である。
【図４】本発明によるジッパーバック密閉装置を示す図である。
【図５】本発明による使用状態の斜視図である。
【図６】本発明の他の実施例に使用されるパックの斜視図である。
【図７】図６のパックに軟質物体を挿入した状態の斜視図である。
【図８】図７のパックによる使用状態の図である。
【図９】本発明の他の実施例に使用される密閉装置の斜視図である。
【図１０】図９におけるＡ−Ａ断面図である。
【図１１】図９において取っ手固定部がある形態の斜視図である。
【図１２】図９において取っ手固定部がない形態の使用状態の斜視図である。
【図１３】他の実施形態に係るジッパーバック密閉装置の斜視図である。
【図１４】図１３におけるＢ−Ｂ断面図である。
【符号の説明】
【００５９】
１  ジッパーバック
２  ジッパー
３  パック
４  孔
５  接着部
６  軟質物体
１０  軸棒
１１  挟み込み溝
１２  ジッパー
２０  引き込み部
３０  切開溝
３１  開口部
４０  取っ手部
５０  取っ手固定部
５５  取っ手固定部
６０  ジッパークリップ
６１  ジッパークリップ
６２  雄結合部
６３  雌結合部
６５  突出部
６６  挟持部材
７０  突起
８０  収容孔
９０  取っ手用ひも又はチューブ
【図１】
2008056353.tif 000003
【図２ａ】
2008056353.tif 000004
【図２ｂ】
2008056353.tif 000005
【図２ｃ】
2008056353.tif 000006
【図３】
2008056353.tif 000007
【図４】
2008056353.tif 000008
【図５】
2008056353.tif 000009
【図６】
2008056353.tif 000010
【図７】
2008056353.tif 000011
【図８】
2008056353.tif 000012
【図９】
2008056353.tif 000013
【図１０】
2008056353.tif 000014
【図１１】
2008056353.tif 000015
【図１２】
2008056353.tif 000016
【図１３】
2008056353.tif 000017
【図１４】
2008056353.tif 000018